(57)【要約】【課題】天井材の接続部分の目地（継ぎ目）を目立たなくするだけでなく、ダウンライト装着施工の時に、誤って野縁を切断してしまうようなことのない天井材を提供する。【解決手段】天井材は、板状で四角形の基板１で構成される。基板１の４つの辺５において、その表面２側からその端面６に至る角部が全長に亘って断面Ｌ形で段状に切落されて当該角部に段状切除部８が形成されている。段状切除部８の近傍にて擬似目地１０が前記段状切除部８に沿って形成されている。前記基板１の４つの辺５の端面６が平坦面に形成されている。【選択図】図３
2019065598.tif 000002
【特許請求の範囲】
【請求項１】
板状で四角形の基板の４つの辺において、その表面側からその端面に至る角部が全長に亘って断面Ｌ形で段状に切落されて当該角部に段状切除部が形成され、
前記段状切除部の近傍にて擬似目地が前記段状切除部に沿って形成され、
前記基板の４つの辺の端面が平坦面に形成されていることを特徴とする天井材。
【請求項２】
擬似目地の幅が、前記段状切除部の幅の２倍であることを特徴とする請求項１に記載の天井材。
【請求項３】
隣接する前記２つの段状切除部に沿って形成された擬似目地は、交差するように形成されていることを特徴とする請求項１又は２に記載の天井材。
【請求項４】
天井に張られた野縁と、
前記野縁の下面に接着された請求項１に記載された複数の天井材と、
前記天井材に装着されたダウンライトとで構成された天井構造において、
前記隣接する天井材の対向する辺の端面同士が突き合わされ、且つ、突き合わされた当該辺の継ぎ目に形成された目地が前記野縁の下面に一致するように配設され、
前記ダウンライトは、前記継ぎ目の目地に沿って設けられた擬似目地を越えて、前記継ぎ目の目地の反対側に設けられていることを特徴とする天井構造。
【発明の詳細な説明】
【技術分野】
【０００１】
本発明は直貼り天井で、目地（継ぎ目）が目立たず、しかもダウンライトの設置時に誤って野縁を切断するようなことのない天井材及びその天井構造に関する。
【背景技術】
【０００２】
従来、天井に縦横に架け渡された野縁の下面に正方形或いは長方形の天井材を張り付けて施工している。しかしながら、天井材の継ぎ目が室内側から目立ち、天井の外観を落としていた。そこで、天井材の継ぎ目を目立たせないようにするために平面方形の天井材の表面に凹凸模様を形成すると共に、実が設けられた天井材の辺と平行にて該辺に対して一定の間隔を明け、線状で細い継ぎ目と同じ幅の細い擬似目地を複数本設けたものが提案されている（特許文献１参照）。しかしながら、前記天井材では、擬似目地の配置および形状に規則性があるので、施工後に擬似目地と継ぎ目とが区別されやすく、擬似目地を設けた効果が乏しいとされていた。
【０００３】
そこで、前記の問題点を解決すべく、特許文献２の天井材が提案された。この天井材は、凹凸模様を有する平面方形の天井材の表面側縁部全長に表面から側面に向かって傾斜した面取り部が形成されている。そして、その面取り部に平行に断面Ｖ形の擬似目地が形成されている。この天井材を並べ、隣接する辺の雌・雄実を接続して天井に施工すると隣接して突き合わされた面取り部が断面Ｖ形の継ぎ目の目地を形成する。
【０００４】
この断面Ｖ形の実継ぎ部分の目地の開口幅と擬似目地の開口幅及び深さはそれぞれ異なるように形成されている。そのため、特許文献１のような規則性が排除されて看者の視線が擬似目地側に逸らされ、或いは、実継ぎ部分の目地への注意が和らげられ、これにより引用文献１に比べて継ぎ目が目立たなくなったとされた。
【先行技術文献】
【特許文献】
【０００５】
【特許文献１】特開２００２−２１２８９号公報
【特許文献２】特開２０１６−１７６２５６号公報
【発明の概要】
【発明が解決しようとする課題】
【０００６】
しかしながら、特許文献１、２の天井材は実継ぎで天井材同士を直接接続することができるため、実継ぎ部分に野縁を配置する必要がなく、野縁と関係なく施工することができ、施工が容易であり多用されてきた。処が最近では埋め込み型のダウンライトを天井に設置することが多くなっている。上記特許文献１、２の天井材を用いた天井では、天井材の継ぎ目と野縁の位置が関連付けられておらず、室内側から野縁の位置が明確に分からない。それ故、不用意に室内側からホールソーのような工具でダウンライト装着用の孔を穿設すると、誤って野縁を切断してしまうようなことがあった。
【０００７】
本発明はこのような従来例の問題に鑑みてなされたもので、天井材の接続部分の目地（継ぎ目）を目立たなくするだけでなく、ダウンライト装着施工の時に、誤って野縁を切断してしまうようなことのない天井材とその天井構造を提供することをその技術課題するものである。
【課題を解決するための手段】
【０００８】
請求項１に記載の発明（天井材）は、
板状で四角形の基板１の４つの辺５において、その表面２側からその端面６に至る角部が全長に亘って断面Ｌ形で段状に切落されて当該角部に段状切除部８が形成され、
前記段状切除部８の近傍にて擬似目地１０が前記段状切除部８に沿って形成され、
前記基板１の４つの辺５の端面６が平坦面に形成されていることを特徴とする。
【０００９】
請求項２に記載の発明は、請求項１に記載の天井材Ａにおいて、擬似目地１０の幅Ｓが、前記段状切除部８の幅Ｗの２倍であることを特徴とする。
【００１０】
請求項３に記載の発明は、請求項１又は２に記載の天井材Ａにおいて、隣接する前記２つの段状切除部８に沿って形成された擬似目地１０は、交差（直交）するように形成されていることを特徴とする。
【００１１】
請求項４に記載の発明（天井構造）は、
天井に張られた野縁２０と、
前記野縁２０の下面２１に接着された請求項１に記載された複数の天井材Ａと、
前記天井材Ａに装着されたダウンライト３０とで構成された天井構造において、
前記隣接する天井材Ａ１・Ａ２の対向する辺５・５の端面６・６同士が突き合わされ、且つ、突き合わされた当該辺５・５の継ぎ目に形成された目地７が前記野縁２０の下面２１に一致するように配設され、
前記ダウンライト３０は、前記継ぎ目の目地７に沿って設けられた擬似目地１０を越えて、前記継ぎ目の目地７の反対側に設けられていることを特徴とする。
【発明の効果】
【００１２】
本発明は、突き合わされた段状切除部８にて形成された継ぎ目の目地７に沿って擬似目地１０が形成されているので、継ぎ目の目地７が目立たない。この時、継ぎ目の目地７と擬似目地１０が同幅とした場合、看者の注意が継ぎ目の目地７と擬似目地１０に分散され、継ぎ目の目地７だけが注目されずより目立たなくなる。
そして、天井材Ａには実が形成されておらず、その平坦な端面６を突合せて施工するため、当該突合せて施工された２つの辺５・５にて構成される継ぎ目の目地７が野縁２０に一致させて接着固定されることになる。それ故、この突合せて施工された継ぎ目の目地７に沿って形成された擬似目地１０を越え、前記継ぎ目の目地７の反対側の位置にダウンライト３０を設置すれば必然的に野縁２０を外れた位置に設置されることになり、誤って野縁２０を切断するような事を回避することができる。
【図面の簡単な説明】
【００１３】
【図１】本発明に係る天井材の実施形態を示す室内側から見た概略斜視図である。
【図２】図１の天井材の平面図である。
【図３】ダウンライトを本発明に係る天井材に装着した場合の断面図である。
【図４】図３のダウンライトの斜視図である。
【図５】本発明に係る天井構造の拡大断面図である。
【図６】本発明に係る天井裏構造の斜視図である。
【発明を実施するための形態】
【００１４】
以下、本発明に係る天井材Ａの一実施形態を添付図面に従って説明する。本実施形態に係る天井材Ａは、図２に示すように、平面正方形（又は、長方形（図示せず））で板状の基板１からなる。この基板１の材質は、例えば、鉱物質繊維板（ロックウール板）、石膏ボード、火山性ガラス質複層板が挙げられる。
【００１５】
基板１の表面２には、例えば、必要に応じてエンボス加工等で凹凸（トラバーチン）模様を形成してある。そしてその基板１の表面２側において、その４つの辺５に全長にわたって断面Ｌ形で段状に切落されて段状切除部８が形成されている。段状切除部８の幅（辺５の端面６から段状切除部８の入隅９まで）をＷとする（図５）。
【００１６】
そして、この段状切除部８の幅Ｗの２倍の幅Ｓの擬似目地１０が該段状切除部８の近傍にて段状切除部８に沿って（この場合は、平行に）形成されている。図の実施例の基板１は正方形であり、その隣接する二辺５・５に沿って平行に擬似目地１０がそれぞれ設けられている。擬似目地１０が近接して設けられている辺を第１辺とする。そしてその反対側の辺（即ち、擬似目地１０が近接して設けられていない辺）を第２辺５ａとする。また上記の例では、２本の擬似目地１０が交差（この場合は、直交）するように設けられた場合を開示しているが、この例に限られず、擬似目地１０を四周に設けてもよい。
【００１７】
この擬似目地１０の位置は、例えば、基板１の幅が６００ｍｍ×６００ｍｍの正方形とした場合、いずれかの辺５からの擬似目地１０の離間距離Ｒは野縁２０の幅Ｌの半分より大きい距離、本実施例では５０ｍｍ前後である。なお、基板１の４つの端面６は平坦面で実は形成されていない。
【００１８】
そしてこの場合は基板１が大判なので、擬似目地１０と、前記擬似目地が設けられていない第２辺５ａとの丁度中間の位置に二本の平行に設けられた擬似目地１５がクロス（直交）して設けられている。中央の二本の平行な擬似目地１５の間隔は、第１辺５の段状切除部８と該段状切除部８に平行に設けられた擬似目地１０との間隔に等しい。上記段状切除部８、及び擬似目地１０（１５）の深さＨは、擬似目地１０（１５）の幅Ｓの半分である。なお、中央の二本の平行な擬似目地１５を設けることは任意で、基板１が大きい場合には設置される（勿論、設置しなくてもよい。）が、３００ｍｍ×３００ｍｍと小型の場合はダウンライト埋込型照明装置３０の口径との関係で設置されないことが多い。３００ｍｍ×６００ｍｍと長方形の場合は、６００ｍｍ幅の中間に設けることがある。
【００１９】
ダウンライト埋込型照明装置３０は、下面が円形に開口した逆椀状で、その開口周縁に額縁３４が全周にわたって延出されているハウジング３１、ハウジング３１の内部中央付近に設けられた光源３５、及びハウジング３１の側面に装着されている取付ばね３２とで構成されている。取付ばね３２は、ハウジング３１の側面から放射状に３箇所（或いは、対称に２箇所）等分に設けられている。
【００２０】
取付ばね３２は帯状の金属板（例えば、ステンレスばね鋼）で形成され、そのばね本体３２ｂは取付部３２ａの下端で屈曲され側方に延びるように設けられている。ばね本体３２ｂの途中に湾曲された弾接部３２ｃが形成されている。取付ばね３２の天井材Ａの埋込孔４０への装着前の状態では、ハウジング３１に対してばね本体３２ｂは外側方（放射方向）に伸びており、後述するように取り付け後は、ばね本体３２ｂが埋込孔４０に弾接して取付部３２ａの下端で曲がり、上向き末広がり状（即ち、先端に行くほど取付ばね３２の間隔が広がる。）に延在する。
【００２１】
図６は天井裏の斜視図で、梁５０間に吊り木受け５２が架設され、この吊り木受け５２に吊り木５４の上端が取り付けられて垂下している。そしてこの吊り木５４の下端に野縁受け５６が水平状態で取り付けられ、該野縁受け５６に直交させて野縁２０が取り付けられている。野縁２０の間隔は一定で、本実施例では天井材Ａの長さに合わせて設置されている。野縁２０は、部屋の天井部分に縦横に架け渡された平角棒状の部材である。
【００２２】
次に、天井材Ａを取り付けた天井構造について説明する。まず、部屋の天井部分に水平且つ所定間隔で架け渡された野縁２０の下面２１に天井材Ａを接着にて取り付ける。その時、天井材Ａの１辺５は野縁２０の下面２１の半分の部分に接着される。残りの半分は、貼り付けられた第１の天井材Ａ１に隣接して配置された第２の天井材Ａ２の１辺５が接着される。第１の天井材Ａ１の突合せ端面６と、第２の天井材Ａ２の突合せ端面６とは、実結合ではなく、単に接触または近接して配置されることになり、この継ぎ目部分において、対向した段状切除部８による目地７が形成される。なお、天井材Ａは接着剤が乾くまでその落下を防止するために仮止めがなされる。このようにして順次天井材Ａの施工が行われる。上記のように上記継ぎ目の目地７の幅２Ｗは、継ぎ目の目地７に沿って設けられた擬似目地１０の幅Ｓと同幅である。
【００２３】
続いて、ダウンライト埋込型照明装置３０の施工が行われるが、例えばホールソーのような切削工具で擬似目地１０を越えて、継ぎ目の目地７の反対側に埋込孔４０を穿設する。更に言えば、擬似目地１０と中央の擬似目地１５との中間位置である。継ぎ目の目地７に沿って設けられた擬似目地１０の端部６からの距離Ｒは、少なくとも野縁２０の幅Ｌの半分の長さ（Ｌ／２）以上離れているので、上記のように擬似目地１０を越えた位置では野縁２０を傷付ける恐れがない。
【００２４】
天井材Ａが小型（３００ｍｍ×３００ｍｍ）の場合、継ぎ目の目地７に沿って設けられた擬似目地１０を越えた位置に埋込孔４０を穿設すると、第２辺５ａに接着された野縁２０との関係が問題になるが、前記擬似目地１０と第２辺５ａとの間には埋込孔４０の直径に対して十分な余裕があるので、擬似目地１０と第２辺５ａとの中間位置に埋込孔４０を設ければ第２辺５ａ側の野縁２０を傷付けるようなことはない。
【００２５】
埋込孔４０の穿設が終了すると、ダウンライト埋込型照明装置３０の各取付ばね３２のばね本体３２ｂの基部を弾性変形させてその先端をすぼめるようにした状態で取付ばね３２を室内側から埋込孔４０内に導入し、然る後、ハウジング３１を上方に押し込む。すると、天井裏で弾性復帰した取付ばね３２の弾接部３２ｃは埋込孔４０の上端角部に斜め上から弾接する。
【００２６】
埋込孔４０に挿入されたハウジング３１の額縁３４は天井材Ａの下面において、埋込孔４０の孔縁に係止してその全周を覆う。その結果、ハウジング３１の外周面と埋込孔４０の内周面との間の隙間は、額縁３４によって覆われ、室内側から見て該隙間が室内側に露出することがない。そしてこのように額縁３４と弾接部３２ｃとで天井材Ａが挟まれることで、ダウンライト埋込型照明装置３０は天井材Ａに対して固定され埋込配設が完了する。
【符号の説明】
【００２７】
Ａ・Ａ１・Ａ２：天井材、Ｗ：継ぎ目の段状切除部の幅、Ｓ：擬似目地の幅、Ｌ：野縁の幅、Ｈ：深さ、１: 基板、２：表面、５：辺（第１辺）、５ａ：反対側の辺（第２辺）、６：（突合せ）端面、７：継ぎ目の目地、８：継ぎ目の段状切除部、９：入隅、１０：擬似目地、１５：擬似目地、２０：野縁、２１：下面、３０：ダウンライト埋込型照明装置、３１：ハウジング、３２：取付ばね、３２ａ：取付部、３２ｂ：ばね本体、３２ｃ：弾接部、３４：額縁、３５：光源、４０：埋込孔、５０：梁、５０：梁、５２：吊り木受け、５４：吊り木、５６：野縁受け
【図１】
2019065598.tif 000003
【図２】
2019065598.tif 000004
【図３】
2019065598.tif 000005
【図４】
2019065598.tif 000006
【図５】
2019065598.tif 000007
【図６】
2019065598.tif 000008